(57)【要約】【課題】別部品を用意することなく、フィルタを容易に装着できる照明器具を提供する。【解決手段】照明器具10は、器具本体11、光源、透光カバー13、フィルタ挿入部37、および支持手段14を備える。器具本体11は、照射開口27が設けられた枠部21を有する。光源は、器具本体11内に設けられる。透光カバー13は、枠部21の内側に配設され、枠部21の内側から照射開口27を覆う。フィルタ挿入部37は、照射開口27に連通して枠部21の内側と透光カバー13との間に設けられる。支持手段14は、枠部21の内側と透光カバー13との間のフィルタ挿入部37の間隔が拡大および縮小する方向に透光カバー13を移動可能に支持するとともに、フィルタ挿入部37の間隔が縮小する方向に透光カバー13を付勢する。【選択図】図１
2017084554.tif 000002
【特許請求の範囲】
【請求項１】
照射開口が設けられた枠部を有する器具本体と；
前記器具本体内に設けられた光源と；
前記枠部の内側に配設され、前記枠部の内側から前記照射開口を覆う透光カバーと；
前記照射開口に連通して前記枠部の内側と前記透光カバーとの間に設けられたフィルタ挿入部と；
前記枠部の内側と前記透光カバーとの間の前記フィルタ挿入部の間隔が拡大および縮小する方向に前記透光カバーを移動可能に支持するとともに、前記フィルタ挿入部の間隔が縮小する方向に前記透光カバーを付勢する支持手段と；
を具備することを特徴とする照明器具。
【請求項２】
前記支持手段は、前記枠部の内側と前記透光カバーとの間の前記フィルタ挿入部の間隔が拡大および縮小する方向に前記透光カバーを移動可能に支持するガイドを有する
ことを特徴とする請求項１記載の照明器具。
【発明の詳細な説明】
【技術分野】
【０００１】
本発明の実施形態は、フィルタが装着可能な照明器具に関する。
【背景技術】
【０００２】
従来、例えばスタジオや劇場などの演出空間において使用される照明器具では、色で演出を変える場合などに、照明器具にフィルタを装着することがある。
【０００３】
フィルタは、専用のフィルタホルダに装着し、このフィルタホルダを照明器具に取り付けるようにしている。または、フィルタを照明器具が有するバンドアなどにクリップで取り付けている。
【０００４】
このように、フィルタを照明器具に装着するには、フィルタホルダやクリップなどの別部品を用意する必要があり、装着作業も煩雑になる。
【先行技術文献】
【特許文献】
【０００５】
【特許文献１】特許第５２３３０５９号公報
【発明の概要】
【発明が解決しようとする課題】
【０００６】
本発明が解決しようとする課題は、別部品を用意することなく、フィルタを容易に装着できる照明器具を提供することである。
【課題を解決するための手段】
【０００７】
実施形態の照明器具は、器具本体、光源、透光カバー、フィルタ挿入部、および支持手段を備える。器具本体は、照射開口が設けられた枠部を有する。光源は、器具本体内に設けられる。透光カバーは、枠部の内側に配設され、枠部の内側から照射開口を覆う。フィルタ挿入部は、照射開口に連通して枠部の内側と透光カバーとの間に設けられる。支持手段は、枠部の内側と透光カバーとの間のフィルタ挿入部の間隔が拡大および縮小する方向に透光カバーを移動可能に支持するとともに、フィルタ挿入部の間隔が縮小する方向に透光カバーを付勢する。
【発明の効果】
【０００８】
本発明によれば、別部品を用意することなく、フィルタを容易に装着可能とすることが期待できる。
【図面の簡単な説明】
【０００９】
【図１】一実施形態を示す照明器具にフィルタを装着した断面図である。
【図２】同上照明器具にフィルタを装着する過程を示す断面図である。
【図３】同上照明器具の正面図である。
【図４】同上照明器具の側面図である。
【発明を実施するための形態】
【００１０】
以下、一実施形態を、図１ないし図４を参照して説明する。
【００１１】
図３および図４に示すように、照明器具10は、例えば、スタジオや劇場などの演出空間において、その演出空間の上方に設置されるバトンに吊下げて使用される。
【００１２】
照明器具10は、器具本体11、この器具本体11内に設けられる光源ユニット12、器具本体11の前面側に配設される透光カバー13、この透光カバー13を器具本体11に対して支持する支持手段14、および器具本体11をバトンに対して吊下げる取付手段15などを備えている。また、照明器具10は、光源ユニット12に点灯電源を供給する電源装置を備えている。さらに、照明器具10は、器具本体11の周囲に設けられて光照射範囲を制限する遮光板であるバンドアを備えていてもよい。
【００１３】
そして、器具本体11は、前後方向に開口する四角形枠状の本体部20、この本体部20の前端に取り付けられる四角形枠状の前側の枠部21、および本体部20の後端に取り付けられる四角形枠状の後側の枠部22を備えている。
【００１４】
図１および図２に示すように、本体部20の各辺の前端には、本体部20の内側方向に向けて折曲された本体前面部23がそれぞれ設けられている。これら本体前面部23の内側間に、四角形状の開口部24が形成されている。
【００１５】
前側の枠部21は、四角形枠状の前枠部25、およびこの前枠部25の周囲の側枠部26を有している。前枠部25の内側域に、四角形状の照射開口27が形成されている。そして、枠部21は、本体部20の前方から、その本体部20に着脱可能に取り付けられている。さらに、枠部21が本体部20に取り付けられた状態では、前枠部25が本体前面部23に対して空間部28を介して対向され、側枠部26が本体部20の周囲に嵌合される。
【００１６】
後側の枠部22の後面中央域には図示しない開口部が形成されている。
【００１７】
また、図３および図４に示すように、光源ユニット12は、光源30、およびこの光源30を配設する放熱体31を備えている。
【００１８】
光源30は、発光モジュール32を備えている。発光モジュール32は、基板、およびこの基板に実装された発光素子としてＬＥＤを有しており、例えばＣＯＢ（Chip On Board）モジュールにて構成されている。発光素子は、ＬＥＤの他、有機ＥＬなどの他の発光素子を用いてもよい。
【００１９】
放熱体31は、器具本体11に配設され、前面側に光源30が熱的に接続されて取り付けられ、後部側に後側の枠部22の開口部から後方に突出される放熱フィン33が設けられている。
【００２０】
なお、器具本体11内には、光源30から光を照射開口27へ向けて反射させる反射体が配設されている。
【００２１】
また、透光カバー13は、透光性および拡散性を有する例えば樹脂材料やガラスによって、平板状に形成されている。透光カバー13の外形状は、枠部21の照射開口27よりも大きいとともに、本体部20の開口部24よりも大きい寸法の四角形状に形成されている。透光カバー13は、この透光カバー13の周辺部が枠部21の前枠部25と本体前面部23との間に配置され、枠部21の内側から照射開口27を覆うように構成されている。透光カバー13の厚みは前枠部25と本体前面部23との間の空間部28の隙間寸法よりも小さく、透光カバー13が空間部28内で前後方向に移動することが可能となっている。
【００２２】
そして、図１および図２に示すように、枠部21の前枠部25の内面25aと透光カバー13の周辺部13aとの間に、フィルタ36を挿入可能とするフィルタ挿入部37が設けられている。フィルタ挿入部37は、透光カバー13の移動に伴って開閉され、開放されたときに照射開口27および空間部28にそれぞれ連通される。また、フィルタ36は、フィルム状で、カラーフィルタや偏光フィルタなどが含まれる。
【００２３】
また、支持手段14は、透光カバー13を器具本体11に対して前後方向に移動可能に支持するガイド40、および透光カバー13を前方へ向けて付勢する付勢体41を備えている。
【００２４】
ガイド40は、透光カバー13の周囲を保持するように四角形枠状に設けられているか、透光カバー13の上下左右の４辺に対応してそれぞれ設けられており、本体前面部23から突設されている。そして、ガイド40は、枠部21の前枠部25の内面25aと透光カバー13の周辺部13aとの間のフィルタ挿入部37の間隔が拡大および縮小する方向に透光カバー13を移動可能に支持する。
【００２５】
付勢体41は、コイル状のばねによって構成されている。付勢体41は、本体前面部23の複数箇所に取り付けられ、本体前面部23と透光カバー13との間に介在され、前方へ向けて透光カバー13を付勢する。すなわち、付勢体41は、フィルタ挿入部37の間隔が縮小する方向に透光カバー13を付勢する。なお、付勢体41は、コイル状のばねに限らず、板ばねや弾性を有するゴムなどで構成してもよい。
【００２６】
また、図３および図４に示すように、取付手段15は、アーム50、およびこのアーム50の両端を器具本体11の両側面に対して回動調整可能に取り付ける取付部材51，52を備えている。アーム50がバトンに取り付けられ、アーム50によって器具本体11を吊下げ支持する。
【００２７】
そして、このように構成された照明器具10では、電源装置から光源30に点灯電源を供給することにより、光源30が点灯し、光源30からの光が透光カバー13を透過するとともに照射開口27を通過して演出空間に照射される。
【００２８】
また、演出のために、照明器具10にフィルタ36を装着する場合がある。フィルタ36は、照明器具10に装着するのに適した所定の大きさに切断されていてもよいし、あるいは大凡の大きさに切断されていてもよい。
【００２９】
図２に示すように、前方から照射開口27を通じて透光カバー13を器具本体11の内方へ向けて押圧することにより、付勢体41が弾性変形して圧縮され、透光カバー13が器具本体11の内方へ移動し、枠部21の前枠部25の内面25aと透光カバー13の周辺部13aとの間のフィルタ挿入部37の間隔を拡大する。
【００３０】
この状態で、フィルタ36の縁部を照射開口27からフィルタ挿入部37に挿入する。例えば、フィルタ36の上下左右の４辺をフィルタ挿入部37にそれぞれ挿入し、フィルタ36を投光カバー13の前面に沿わせる。このとき、フィルタ36が大凡の大きさに切断されている場合でも、フィルタ36の余分な縁部は空間部28内に収められるため、フィルタ36を透光カバー13の前面に沿わせて配置することができる。
【００３１】
透光カバー13の押圧を解除することにより、付勢体41の弾性によって透光カバー13が照射開口27へ向けて移動し、すなわち、枠部21の前枠部25の内面25aと透光カバー13の周辺部13aとの間のフィルタ挿入部37の間隔を縮小し、枠部21の前枠部25の内面25aと透光カバー13の周辺部13aとの間でフィルタ36を挟み込んで保持する。
【００３２】
このようなフィルタ36の装着作業を行う場合、透光カバー13の１辺ずつを押圧して、フィルタ36の１辺ずつをフィルタ挿入部37に挿入してもよいし、透光カバー13の全体を押圧しながらフィルタ36の各辺をフィルタ挿入部37に挿入してもよい。
【００３３】
なお、フィルタ36の上下左右の４辺全てをフィルタ挿入部37に挿入しなくてもよく、例えば、フィルタ36の上下の２辺のみをフィルタ挿入部37に挿入したり、フィルタ36の左右の２辺のみをフィルタ挿入部37に挿入してもよい。
【００３４】
さらに、フィルタ36は、透光カバー13の前面に沿わせなくても、透光カバー13の前方域に配置されていれば、フィルタ36を用いた演出への影響はない。
【００３５】
そして、照明器具10の点灯時、光源30からの光が透光カバー13を透過するとともに照射開口27を通過し、さらに、フィルタ36を透過して、フィルタ36によって得られる演出効果の光が演出空間に照射される。
【００３６】
一方、フィルタ36を外す場合には、前方から照射開口27を通じて透光カバー13を器具本体11の内方へ向けて押圧しながら、フィルタ36をフィルタ挿入部37から抜き外す。
【００３７】
このように本実施形態の照明器具によれば、例えばフィルタホルダやクリップなどの別部品を用意することなく、フィルタ36を枠部21の内側と透光カバー13との間のフィルタ挿入部37に挿入することで、フィルタ36を容易に装着することができる。
【００３８】
また、支持手段14のガイド40により、枠部21の内側と透光カバー13との間のフィルタ挿入部37の間隔が拡大および縮小する方向に透光カバー13を移動可能に支持するとともに、支持手段14の付勢体41により、フィルタ挿入部37の間隔が縮小する方向に透光カバー13を付勢するため、フィルタ36の装着作業がやりやすく、装着したフィルタ36を枠部21の内側と透光カバー13との間に挟み込んで確実に保持することができる。また、付勢体41の戻り弾性力により、フィルタ36が枠部21の前枠部25の内面25aと透光カバー13の周辺部13aとの間に挟持されるため、フィルタ36と透光カバー13とが密着し、光学特性を安定させることができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
10    照明器具
11    器具本体
13    透光カバー
14    支持手段
21    枠部
27    照射開口
30    光源
37    フィルタ挿入部
40    ガイド
【図１】
2017084554.tif 000003
【図２】
2017084554.tif 000004
【図３】
2017084554.tif 000005
【図４】
2017084554.tif 000006